(57)【要約】【課題】  容器本体内に収納された毒餌剤までアリを積極的に誘導することができ、これによりアリが毒餌剤を食べる確率を著しく向上させることができるアリ用毒餌剤容器および当該アリ用毒餌剤容器に好適な食餌体用アリ誘引剤組成物を提供すること。【解決手段】  アリ用毒餌剤容器（１０）は、アリ用の侵入口（１９）を有し、当該侵入口（１９）を介して内部と外部とが連通された容器本体（１１）と、当該容器本体（１１）内に配置された毒餌剤（２）と、アリ（３）を容器本体（１１）の外部から毒餌剤（２）へ誘導するために侵入口（１９）付近から毒餌剤（２）へ向けて連なる部分を有する食餌体（２０）と、を備えている。食餌体（２０）に含浸若しくは保持されている食餌体用アリ誘引剤組成物は、アリ用誘引剤（２２）と、当該アリ用誘引剤（２２）が食餌体（２０）から脱落することを防止するための脱落防止剤と、を配合したものである。【選択図】      図１
2005058207.tif 000002
【特許請求の範囲】
【請求項１】
アリ用の侵入口を有し、当該侵入口を介して内部と外部とが連通された容器本体と、前記容器本体内に配置された毒餌剤と、を備えるアリ用毒餌剤容器であって、
アリを前記容器本体の外部から前記毒餌剤へ誘導するために、前記侵入口付近から前記毒餌剤へ向けて連なる部分を有する食餌体が、前記容器本体に設けられていることを特徴とするアリ用毒餌剤容器。
【請求項２】
アリ用の侵入口を有し、当該侵入口を介して内部と外部とが連通された容器本体と、
前記容器本体内に配置された毒餌剤と、
アリを前記容器本体の外部から前記毒餌剤へ誘導するための、前記容器本体に取り付け可能な、食餌体と、
を備えるアリ用毒餌剤容器であって、
前記食餌体が、前記容器本体に取り付けられるとき、前記侵入口付近から前記毒餌剤へ向けて連なるように配置されることを特徴とするアリ用毒餌剤容器。
【請求項３】
前記容器本体が、
少なくとも一つの開口部を有し且つ、内部に前記毒餌剤が配置される収納部が設けられた収納体と、
前記開口部を塞ぐように前記収納体に着脱可能な、前記侵入口を有するカバーと、
を備えていることを特徴とする請求項１または請求項２に記載したアリ用毒餌剤容器。
【請求項４】
前記侵入口から離れた位置に前記毒餌剤を収納する収納部が前記容器本体内に設けられていることを特徴とする請求項１から請求項３のいずれか一つに記載したアリ用毒餌剤容器。
【請求項５】
前記食餌体が、前記容器本体の外部から前記侵入口を通って前記容器本体の内部に連なるように配置されることを特徴とする請求項１から請求項４のいずれか一つに記載したアリ用毒餌剤容器。
【請求項６】
前記食餌体が、アリ用誘引剤を含浸若しくは保持した芯体であることを特徴とする請求項１から請求項５のいずれか一つに記載したアリ用毒餌剤容器。
【請求項７】
前記芯体が、前記アリ用誘引剤としてショ糖と、当該ショ糖の脱落防止剤としてグリセリン、トリメチルグリシン、または液糖と、を含有することを特徴とする請求項６に記載したアリ用毒餌剤容器。
【請求項８】
前記芯体が、加えられる外力によって変形自在で且つ変形後の形状を維持することができる材料から構成されていることを特徴とする請求項６または請求項７に記載したアリ用毒餌剤容器。
【請求項９】
前記芯体が、針金に繊維材を固着したものから構成されていることを特徴とする請求項６から請求項８のいずれか一つに記載したアリ用毒餌剤容器。
【請求項１０】
前記芯体が、紐状または帯状のエラストマーであり、前記食餌体が配置された場所の形状に沿って前記食餌体自体で変形可能であることを特徴とする請求項６または請求項７に記載したアリ用毒餌剤容器。
【請求項１１】
前記芯体が、列状に連結または繋がれた多数個の部材であり、隣接して配置された前記部材が、互いに相対的に変位可能とされていることを特徴とする請求項６または請求項７に記載したアリ用毒餌剤容器。
【請求項１２】
前記食餌体が、前記毒餌剤に接触するように配置されることを特徴とする請求項１から請求項１１のいずれか一つに記載したアリ用毒餌剤容器。
【請求項１３】
前記食餌体が、前記容器本体自体であることを特徴とする請求項１または請求項３に記載したアリ用毒餌剤容器。
【請求項１４】
アリをアリ用毒餌剤容器の外部から当該アリ用毒餌剤容器内の毒餌剤へ誘導するための前記アリ用毒餌剤容器に取り付け可能な食餌体に含浸若しくは保持される食餌体用アリ誘引剤組成物であって、
アリ用誘引剤と、
前記アリ用誘引剤が前記食餌体から脱落することを防止するための脱落防止剤と、
が配合されていることを特徴とする食餌体用アリ誘引剤組成物。
【発明の詳細な説明】
【技術分野】
【０００１】
本発明は、アリ（蟻）を効果的に防除するためのアリ用毒餌剤容器の改良に関する。
【背景技術】
【０００２】
社会性昆虫であるアリを防除するためのアリ用毒餌剤容器は従来から知られている。図２４は従来のアリ用毒餌剤容器の一例（アリ用毒餌剤容器１）を示す横断面図である。図２４に示されるように、アリ用の侵入口４が設けられた容器本体１ａは内部に毒餌剤２を収納した状態でアリ３が活動する場所に設置される。尚、使用者や、犬、猫、等の小動物に毒餌剤２が直接触れられることが無いよう安全性確保の観点から、容器本体１ａは、侵入口４を介して外部から毒餌剤２に容易に触れることができない構造（例えば、容器本体１ａ内部の侵入口４から遠い位置に毒餌剤２が収納される構造）を有するのが一般的である。
【０００３】
また、アリを防除する方法として、箱体内の害虫誘引源の周囲に殺虫剤処理部を設け且つ箱体側面の開口部から箱体内部に向けて昇りの勾配を設けて害虫の防除を図ったものも知られている（例えば、特許文献１参照）。
【特許文献１】特開平８−２５６６５８号公報（第２〜３頁、図１〜図２）
【発明の開示】
【発明が解決しようとする課題】
【０００４】
前述のように、図２４に示される従来のアリ用毒餌剤容器１の容器本体１ａは毒餌剤２に容易に触れることができない構造を有しているため、アリ３が毒餌剤２を発見し難く、アリ３が容器本体１ａ内に侵入する確率を低くする要因の一つとなっている。また、アリ３が容器本体１ａ内に侵入しても、毒餌剤２に到達せずに図２４に示すように例えばＵターンして容器本体１ａから出てしまう場合もある。アリ３を容器本体１ａ内に効率良く誘引することは、防除効果を向上させるための必要条件であり、この点に関して更なる改良が望まれる。
【０００５】
例えば、特許文献１で開示されているような周囲に殺虫剤処理部が設けられた害虫誘引源を毒餌剤２として用い且つ侵入口４側から容器本体１ａ内部に向けて昇りの勾配を設けたとしても、アリ３が容器本体１ａ内に侵入する確率を上げるには至らず、アリ３が毒餌剤２に到達せずに容器本体１ａから出てしまうことに対する改善効果も奏し得ない。
【０００６】
尚、アリ３を毒餌剤２に導くために、容器本体１ａの侵入口４を可能な限り大きく開口して容器本体１ａ内へのアリ３の侵入が容易となるようにしたり、侵入口４から毒餌剤２までの距離を可能な限り短くする、等の改良を行なったとしても、アリ３を毒餌剤２へ積極的に誘引することは困難である。
【０００７】
本発明は、前述した課題に鑑みてなされたものであり、その目的は、容器本体内に収納された毒餌剤までアリを積極的に誘導することができ、これによりアリが毒餌剤を食べる確率を著しく向上させることができるアリ用毒餌剤容器および当該アリ用毒餌剤容器に好適な食餌体用アリ誘引剤組成物を提供することにある。
【課題を解決するための手段】
【０００８】
前述した目的を達成するため、本発明に係るアリ用毒餌剤容器は、下記（１）、（２）、（３）、（４）、（５）、（６）、（７）、（８）、（９）、（１０）、（１１）、（１２）および（１３）を特徴としている。
【０００９】
（１）  アリ用の侵入口を有し、当該侵入口を介して内部と外部とが連通された容器本体と、前記容器本体内に配置された毒餌剤と、を備えるアリ用毒餌剤容器であって、
アリを前記容器本体の外部から前記毒餌剤へ誘導するために、前記侵入口付近から前記毒餌剤へ向けて連なる部分を有する食餌体が、前記容器本体に設けられていること。
【００１０】
（２）  アリ用の侵入口を有し、当該侵入口を介して内部と外部とが連通された容器本体と、
前記容器本体内に配置された毒餌剤と、
アリを前記容器本体の外部から前記毒餌剤へ誘導するための、前記容器本体に取り付け可能な、食餌体と、
を備えるアリ用毒餌剤容器であって、
前記食餌体が、前記容器本体に取り付けられるとき、前記侵入口付近から前記毒餌剤へ向けて連なるように配置されること。
【００１１】
（３）  上記（１）または（２）に記載のアリ用毒餌剤容器において、
前記容器本体が、
少なくとも一つの開口部を有し且つ、内部に前記毒餌剤が配置される収納部が設けられた収納体と、
前記開口部を塞ぐように前記収納体に着脱可能な、前記侵入口を有するカバーと、
を備えていること。
【００１２】
（４）  上記（１）から（３）のいずれか一つに記載のアリ用毒餌剤容器において、
前記侵入口から離れた位置に前記毒餌剤を収納する収納部が前記容器本体内に設けられていること。
【００１３】
（５）  上記（１）から（４）のいずれか一つに記載のアリ用毒餌剤容器において、
前記食餌体が、前記容器本体の外部から前記侵入口を通って前記容器本体の内部に連なるように配置されること。
【００１４】
（６）  上記（１）から（５）のいずれか一つに記載のアリ用毒餌剤容器において、
前記食餌体が、アリ用誘引剤を含浸若しくは保持した芯体であること。
【００１５】
（７）  上記（６）に記載のアリ用毒餌剤容器において、
前記芯体が、前記アリ用誘引剤としてショ糖と、当該ショ糖の脱落防止剤としてグリセリン、トリメチルグリシン、または液糖と、を含有すること。
【００１６】
（８）  上記（６）または（７）に記載のアリ用毒餌剤容器において、
前記芯体が、加えられる外力によって変形自在で且つ変形後の形状を維持することできる材料から構成されていること。
【００１７】
（９）  上記（６）から（８）のいずれか一つに記載のアリ用毒餌剤容器において、
前記芯体が、針金に繊維材を固着したものから構成されていること。
【００１８】
（１０）  上記（６）または（７）に記載のアリ用毒餌剤容器において、
前記芯体が、紐状または帯状のエラストマーであり、前記食餌体が配置された場所の形状に沿って前記食餌体自体で変形可能であること。
【００１９】
（１１）  上記（６）または（７）に記載のアリ用毒餌剤容器において、
前記芯体が、列状に連結または繋がれた多数個の部材であり、隣接して配置された前記部材が、互いに相対的に変位可能とされていること。
【００２０】
（１２）  上記（１）から（１１）のいずれか一つに記載のアリ用毒餌剤容器において、
前記食餌体が、前記毒餌剤に接触するように配置されること。
【００２１】
（１３）  上記（１）または（３）に記載のアリ用毒餌剤容器において、
前記食餌体が、前記容器本体自体であること。
【００２２】
また、前述した目的を達成するため、本発明に係る食餌体用アリ誘引剤組成物は、下記（１４）を特徴としている。
【００２３】
（１４）  アリをアリ用毒餌剤容器の外部から当該アリ用毒餌剤容器内の毒餌剤へ誘導するための前記アリ用毒餌剤容器に取り付け可能な食餌体に含浸若しくは保持される食餌体用アリ誘引剤組成物であって、
アリ用誘引剤と、
前記アリ用誘引剤が前記食餌体から脱落することを防止するための脱落防止剤と、
が配合されていること。
【発明の効果】
【００２４】
（１）に記載のアリ用毒餌剤容器によれば、毒餌剤が内部に収納された容器本体に、そのアリ用の侵入口付近から毒餌剤へ向けて連なる部分を有する食餌体（換言すれば、無毒餌体）が設けられており、侵入口を介して外部から容器本体内部に侵入したアリが食餌体によって毒餌剤へ案内されるように構成されているので、アリが毒餌剤を食べる確率を向上させることができ、これによりアリの防除効果を向上させることができる。
【００２５】
（２）に記載のアリ用毒餌剤容器によれば、毒餌剤を内部に収納した容器本体に取り付け可能な、アリを容器本体の外部から毒餌剤へ誘導するための、食餌体（換言すれば、無毒餌体）が、容器本体に取り付けられる際に当該容器本体のアリ用の侵入口付近から毒餌剤へ向けて連なるように配置され、この食餌体によって、侵入口を介して外部から容器本体内部に侵入したアリが毒餌剤へ案内されるように構成されているので、アリが毒餌剤を食べる確率を向上させることができる。また、これによりアリの防除効果を向上させることができる。また、アリ用毒餌剤容器の使用者が、当該アリ用毒餌剤容器の使用時、食餌体を容器本体に取り付けることができる。
【００２６】
（３）に記載のアリ用毒餌剤容器によれば、容器本体が、少なくとも一つの開口部を有し且つ、内部に毒餌剤を配置する収納部が設けられた収納体と、開口部を塞ぐように収納体に着脱可能な、アリ用の侵入口を有するカバーと、を備えているので、アリの駆除効果を増大させるために容器本体の外径寸法を大型にしても、従来の製造ラインを大幅に変更することなく、アリ用毒餌剤容器を製造することができ、製造費用を低減することができる。また、形状の異なる、収納体とは別体の、カバーを複数種予め準備しておくことにより、カバーを交換して収納体に装着することができ、アリ用毒餌剤容器の形状を、設置する場所に最適な形状に変更することができる。また、これによって、アリの防除効果を向上させることができる。
【００２７】
（４）に記載のアリ用毒餌剤容器によれば、侵入口から離れた位置に毒餌剤を収納する収納部が容器本体内に設けられているので、使用者や小動物に毒餌剤が直接触れられることを防止できる。また、このように毒餌剤が容器本体内の侵入口から離れた位置に配置されているにも拘わらず、食餌体によってアリを毒餌剤に誘導することができるので、アリの防除効果に加えて安全性も高めることができる。
【００２８】
（５）に記載のアリ用毒餌剤容器によれば、食餌体が容器本体の外部から侵入口を通って容器本体の内部に連なるように配置されるので、容器本体の近傍にいるアリを食餌体で誘引（案内）して効率良く容器本体内に侵入させることができ、容器本体内へのアリの侵入確率を向上させることができる。また、これによって、アリが毒餌剤を食べる確率を更に向上させることができ、アリの防除効果の更なる向上が実現できる。
【００２９】
（６）に記載のアリ用毒餌剤容器によれば、食餌体がアリ用誘引剤を含浸若しくは保持した芯体であるので、当該誘引剤によりアリを誘引すると共に当該芯体を案内通路として利用して、アリを毒餌剤へ確実に案内することができる。
【００３０】
（７）に記載のアリ用毒餌剤容器によれば、アリ用誘引剤としてショ糖および当該ショ糖の脱落防止剤としてグリセリン、トリメチルグリシン、または液糖を芯体に含有しており、より詳細には、ショ糖、およびグリセリン、トリメチルグリシン、または液糖を配合した水溶液を芯体に含浸し乾燥させているので、単にショ糖水溶液を芯体に含浸し乾燥させた場合と比較して、乾燥後のアリ用誘引剤の結晶化が抑制され、これによりアリ用誘引剤が芯体に確実に保持されて芯体から脱落することが防止される。従って、長期間にわたってアリ誘引効果を維持することができる。
【００３１】
（８）に記載のアリ用毒餌剤容器によれば、アリ用誘引剤を含浸若しくは保持した芯体が、外力によって変形自在で且つ変形後の形状を維持することもできる材料から構成されているので、アリの活動状況に応じて、例えば縦壁面に沿ってアリが行進していれば、アリの行進経路に芯体（換言すれば、食餌体）の先端部が突出するように該芯体の形状を変形させてからアリ用毒餌剤容器を配置することができる。これによって、アリの様々な活動場所に応じてアリ用毒餌剤容器を配置してアリを食餌体によって誘引することが可能となり、アリを高い確率でアリ用毒餌剤容器内に誘導し、毒餌剤に到達させることができる。
【００３２】
（９）に記載のアリ用毒餌剤容器によれば、針金に繊維材を固着したもので芯体が形成されており、当該針金として任意の形状に容易に変形することができるものを用いることにより、芯体（換言すれば、食餌体）を任意の形状に容易に変形し且つ変形後の形状をそのままの状態で維持することができる。従って、アリの活動状況に応じてアリを誘引するのに最適な形状に芯体（換言すれば、食餌体）を変形させて、アリ用毒餌剤容器を任意の場所に配置することができる。例えば、アリの活動場所がアリ用毒餌剤容器を設置可能な場所の上方であっても、その上方へ先端部が延設されるように芯体（換言すれば、食餌体）を変形させることによって、アリを高い確率でアリ用毒餌剤容器内に誘導することができる。
【００３３】
（１０）に記載のアリ用毒餌剤容器によれば、芯体が、紐状または帯状のエラストマーであるので、剛性が弱く、換言すれば腰（コシ）が弱い、或いは腰（コシ）が無いので、容易に変形させることができる。従って、アリ用毒餌剤容器の設置場所が、砂利や小石が多い場所、岩場、枯草が多く落ちている場所、段差のある場所、凹凸のある地面、等であっても、食餌体が配置された場所の形状（起伏）に沿って食餌体自体が自然に変形し、設置表面に密着させて配置することができる。これによって、地表を活動しているアリが食餌体に接触する頻度が高くなり、効率的にアリをアリ用毒餌剤容器に誘引することができる。
【００３４】
（１１）に記載のアリ用毒餌剤容器によれば、芯体が、列状に連結または繋がれた多数個の部材であり、隣接して配置された部材が、互いに相対的に変位可能とされているので、アリ用毒餌剤容器の設置場所の形状に合わせて容易に変形させることができる。従って、アリ用毒餌剤容器の設置場所が、砂利や小石が多い場所、岩場、枯草が多く落ちている場所、段差のある場所、凹凸のある地面、等であっても、食餌体が配置された場所の形状（起伏）に沿って食餌体自体が自然に変形し、設置表面に密着させて配置することができる。これによって、地表を活動しているアリが食餌体に接触する頻度が高くなり、効率的にアリをアリ用毒餌剤容器に誘引することができる。
【００３５】
（１２）に記載のアリ用毒餌剤容器によれば、毒餌剤に食餌体が接触するように配置されるので、食餌体によって誘導されたアリを高い確率で毒餌剤に到達させることができる。また、これによって、アリが毒餌剤を食べる確率を更に高めて、アリを効果的に防除することができる。
【００３６】
（１３）に記載のアリ用毒餌剤容器によれば、容器本体自体が食餌体により形成されているので、アリがアリ用毒餌剤容器を発見し易く、それによりアリを効率良く容器本体内に誘引することができる。
【００３７】
（１４）に記載の食餌体用アリ誘引剤組成物によれば、アリ用誘引剤および当該アリ用誘引剤が食餌体から脱落することを防止するための脱落防止剤を配合した食餌体用アリ誘引剤組成物が食餌体に含浸若しくは保持されるので、アリ用誘引剤が食餌体に確実に保持されて食餌体から脱落することが防止され、長期間にわたってアリ誘引効果が維持される。
【００３８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００３９】
以下、本発明に係る複数の好適な実施形態を図面に基づいて詳細に説明する。
【００４０】
（第１実施形態）
図１は本発明に係るアリ用毒餌剤容器の第１実施形態の横断面図、そして図２は蓋体等が設けられた図１のアリ用毒餌剤容器のII−II矢視縦断面図である。
【００４１】
図１および図２に示されるように、本発明のアリ用毒餌剤容器１０は容器本体１１を備えている。容器本体１１は、合成樹脂で形成（成形）されており、底板１３、該底板１３に突設された周壁部１４、該周壁部１４により囲まれた毒餌剤２を収納するための収納部１８、および蓋体１６を有している。収納部１８は、底板１３から上向きに突設する仕切板１５によって２つの収納部１８ａ，１８ｂに分割されている。
【００４２】
周壁部１４は、底板１３から垂直方向に立設され且つ周壁部１４の内周面を形成する立壁１４ｂと、立壁１４ｂの外側に設けられ緩やかに傾斜する傾斜壁１４ｃと、立壁１４ｂと傾斜壁１４ｃとを上方端部で連結する上面板１４ａと、底板１３の周縁端部に沿って立設された外壁１４ｄと、を含む。外壁１４ｄは、容器本体１１の外周壁を形成しており、切り欠かれて容器本体１１内にアリ３を侵入させるための侵入口１９が、外壁１４ｄの周方向に間隔を隔てて複数個（図１に示す実施形態においては８個）設けられている。容器本体１１の上部には蓋体１６が周壁部１４の外壁１４ｄに装着されて配置されている。
【００４３】
収納部１８には毒餌剤２が収納され、イージーピール部材１７（例えば、ナイロン１５μ、シーラント３０μ）が上面板１４ａの全周にわたって溶着されており、このイージーピール部材１７によって収納部１８が密封されている。毒餌剤２としては速効性毒餌剤または遅効性毒餌剤を用いることができるが、遅効性毒餌剤を毒餌剤２として用いることが望ましい。
【００４４】
速効性毒餌剤は、速効性殺虫薬剤に誘引剤および必要に応じて、増量剤、結合剤、着色剤、等を適宜配合して調整される。ここで代表的速効性殺虫薬剤としては、例えばジョチュウギクエキス、アレスリン、ｄ−Ｔ−８０−アレスリン、フタルスリン、レスメトリン、ｄ−Ｔ−８０−レスメトリン、フラメトリン、ｄ−Ｔ−８０−フラメトリン、フェノトリン、ペルメトリン、等のピレスロイド系殺虫剤、カルクロホス、ジクロルボス、ナレド、ダイアジノン、シアホス、クロルピリホスメチル、マラソン、トリクロルホン、ピリダフエンチオン、フエンクロホス、フエニトロチオン、プロモホス、等の有機リン系殺虫剤、プロポクサー、等のカーバメート系殺虫剤を例示できる。
【００４５】
また、誘引剤の具体例としては、例えば、動植物エキス、カゼイン、等の蛋白質類、デンプン、小麦粉、米粉、糠、トウモロコシ粉、等の植物粉末；砂糖、蜂蜜、廃糖密、果性果糖、ショ糖、液糖、マルトース、サトウキビ果汁、プロリン、等のアミノ酸類等の甘味成分；トウモロコシ油、ヒマシ油、オリーブ油、大豆油、ナタネ油、ピーナッツ油、等の植物油；その他（３Ｓ，４Ｒ，６Ｅ，１０Ｚ）−３，４，７，１１−テトラメチル−トリデカ−６，１０−ジエナール、（ｚ）−９−ヘキサデセナール、２，５−ジメチルピラジン、８−メチル−２，５−ジメチルピラジン、Ｚ，Ｅ−又はＥ，Ｅ−α−フラネセン、等の道しるべフェロモン、等を例示できる。
【００４６】
必要に応じて配合される添加剤としては、例えばシリカゲル、珪酸、珪藻土、カオリン、タルク、等の増量剤；アイリツシモス、トラガントガム、カラヤガム、カルボキシメチルセルロースナトリウム、メチルセルロース、ヒドロキシプロピルセルロース、等の結合剤；アマランス、エリスロシン、ローズベンガル、アシッドレッド、リソールルビン、レーキレッド、リソールレッド、ローダミン、テトラクロロテトラブロモフルオレセイン、ブリリアントレーキレッド、デイープマルーン、トルイジンレツト、ヘリンドンピンク、フアストアシッドマゲンタ、パーマトンレッド、エオシン、ビオラミン、ブリリアントフアストスカーレット、パーマネントレッド、オイルレッド、フアストレッド、等の色素乃至着色料を例示できる。
【００４７】
遅効性毒餌剤は、遅効性殺虫薬剤に上述した誘引剤および必要に応じて、増量剤、結合剤、着色剤、等を適宜配合して調整される。遅効性殺虫薬剤としては、例えば、カーバリール、クロルデン、ＤＤＴ、ホウ酸、エクダイソン、等の脱皮ホルモン、プリコセン、等の抗幼若ホルモン物質、メトプレン等の幼若ホルモン、ヒドラメチルノン、リチウムスルフォネート、等を例示できる。
【００４８】
また、図１に示されるように本発明のアリ用毒餌剤容器１０は、侵入口１９付近から毒餌剤２へ向けて連なる部分を有する食餌体（換言すれば、無毒餌体）２０を備えている。食餌体２０は、アリ３を容器本体１１外部から容器本体１１内部に誘引し且つ侵入したアリ３を毒餌剤２に誘導（案内）するためのものであって、例えばテープ状または紐状の芯体２１にアリ用の誘引剤２２を含浸させた後、乾燥させたもの若しくは、例えばテープ状または紐状の芯体２１にアリ用の誘引剤２２を保持させたものからなる。食餌体２０は、一端（即ち、先端部）２０ａが容器本体１１の外部に配置され、侵入口１９を通って容器本体１１内に導かれており、食餌体２０の他端（即ち、基端部）２０ｂは周壁部１４の傾斜壁１４ｃに当接するように傾斜壁１４ｃと外壁１４ｄとの間に配置されている。
【００４９】
これによって、容器本体１１の外部にいるアリ３は、食餌体２０の上を歩いていると、自然に容器本体１１内に侵入するようになっている。尚、食餌体２０は、毒性の無い材料から形成されているので、使用者や小動物に対しても安全である。尚、食餌体２０の他端（即ち、基端部）２０ｂは容器本体１１に固定される（即ち、アリ３が芯体２１を容器本体１１から持ち運べないような手段（不図示）が設けられている）。この手段の例としては、毒性の無い材料からなる例えば接着テープ、接着剤、等の接着手段が挙げられる。
【００５０】
食餌体２０は、誘引剤２２が無くなった後もアリ３が食べない部分（即ち、芯体２１）が残って形状を維持し、アリ３の通路として利用できるものが望ましい。芯体２１としては、例えば、木、濾紙、繊維、紐、紙、不織布、モール、芯として針金を挟んだ紙テープ、複数のヒンジ部が設けられた樹脂成型品、エラストマー、多孔質ビーズ、等が例示できる。また、誘引剤２２としては、上述した誘引剤を用いることができる。
【００５１】
特にショ糖は、アリ誘引効果が高いため、誘引剤２２として用いると好ましい。例えばショ糖を誘引剤２２として用いる場合は、ショ糖と、当該ショ糖の脱落防止剤としてグリセリン、トリメチルグリシン、液糖、またはアクアインプールと、を配合した水溶液を食餌体用アリ誘引剤組成物として芯体２１に含浸後、乾燥させて芯体２１に保持させる。
【００５２】
このようにすれば、単にショ糖水溶液を芯体２１に含浸した場合と比較して、乾燥後誘引剤２２が芯体２１に確実に保持されるので、結晶化した誘引剤２２が芯体２１から剥がれ落ちること（即ち、脱落すること）を防止することができる。従って、長期間にわたってアリ誘引効果を維持することができる。
【００５３】
尚、誘引剤２２と脱落防止剤との配合は、実施可能な限り、特に限定されないが、脱落防止剤の配合量が多いと芯体２１がべたつき、手や周囲の物に付着し易くなって扱い難くなる可能性がある。この点を考慮して、誘引剤２２をショ糖そして脱落防止剤をグリセリンまたはトリメチルグリシンとした場合、水溶液中のショ糖の濃度を１％そしてグリセリンまたはトリメチルグリシンの濃度を０．２％程度とすることが好ましい。また、誘引剤２２をショ糖そして脱落防止剤を液糖とした場合、水溶液中のショ糖の濃度を１％そして液糖の濃度を１％程度とすることが好ましい。
【００５４】
ショ糖水溶液等のように乾燥すると結晶化する溶液を芯体２１に含浸する場合、その溶液に前述のようにグリセリン、トリメチルグリシン、液糖、アクアインプール、等の脱落防止剤を更に添加するようにし、その添加した溶液を芯体２１に含浸して乾燥後の誘引剤２２の結晶化を抑制することが望ましい。
【００５５】
食餌体２０は、毒性の無い材料からなる例えば接着テープ、接着剤、等の接着手段を介して、配置される面に固定してもよいし、その代わりに芯体２１自体を毒性の無い材料からなる例えば接着テープ、接着剤、等で構成して、配置される面に固定できるような形態にしてもよい。このような食餌体２０の固定は、食餌体２０を配置する面が垂直面等といった配置し難い面である場合に特に効果的である。また、食餌体２０の芯体２１自体を毒性の無い材料からなる例えば接着剤とする場合、当該接着剤として誘引剤２２を含有（即ち、含浸若しくは保持）したものを用いれば、連続的に、または断続的ながら連なるように、食餌体２０を所望の形状で配置（固定）することができる。
【００５６】
また、食餌体２０は、その誘引剤２２の量または濃度が、毒餌剤２に含まれる誘引剤の量または濃度よりも少ない（低い）ものであることが望ましい。つまり、食餌体２０の芯体２１に含浸若しくは保持される誘引剤２２の量または濃度は、必要最低限の量または濃度であることが望ましい。更に、食餌体２０は、その誘引剤２２の量または濃度が、毒餌剤２へ向けて徐々に多く（高く）なるように構成されていることが好ましい。食餌体２０の誘引剤２２の量または濃度を毒餌剤２に含まれる誘引剤の量または濃度よりも少なく（低く）設定すること、換言すれば、毒餌剤２に含まれる誘引剤の量または濃度を食餌体２０の誘引剤２２の量または濃度よりも多く（高く）設定することにより、アリ３を毒餌剤２へより効果的に誘き寄せることができる。
【００５７】
ところで、容器本体１１と食餌体２０とが例えば互いに分離した状態で包装または別々に包装されている形態を採る場合は、アリ用毒餌剤容器１０の使用時に食餌体２０を例えば侵入口１９から挿入して容器本体１１にセットできるように容器本体１１および食餌体２０を構成してもよい。一方、容器本体１１に食餌体２０がセットされた状態で包装される形態を採る場合は、食餌体２０が容器本体１１に出し入れ自在であるように構成されている（例えば図９の形態参照）ことが好ましい。包装することによって、蒸発等による毒餌剤２および食餌体２０の有効成分の減少を防止できると共に、搬送時の取扱いが容易となる。
【００５８】
次に、上述したアリ用毒餌剤容器１０の変形例を図３および図４を参照して説明する。図３は本発明に係るアリ用毒餌剤容器の変形例（アリ用毒餌剤容器３０）の横断面図、図４は蓋体等が設けられた図３のアリ用毒餌剤容器のIV−IV矢視縦断面図である。
【００５９】
図３および図４に示されるように、アリ用毒餌剤容器３０では、容器本体１１の侵入口１９および収納部１８を夫々１箇所とし、食餌体２０の一端（即ち、先端部）２０ａを容器本体１１の外部に配置し、そして他端（即ち、基端部）２０ｂを収納部１８に収納された毒餌剤２に接触させて当該食餌体２０を侵入口１９を通して配置している。即ち、食餌体２０は、侵入口１９から挿入され、傾斜壁１４ｃおよび上面板１４ａを乗り越え、そして上面板１４ａから下されるか若しくは立壁１４ｂに沿って収納部１８内の毒餌剤２に接触するように配置されている。尚、収納部１８を２箇所とし、食餌体２０の他端２０ｂを二又状に分岐して収納部１８内の毒餌剤２に夫々接触させて配置することも可能である。また、食餌体２０の他端（即ち、基端部）２０ｂは容器本体１１に固定される（即ち、アリ３が芯体２１を容器本体１１から持ち運べないような手段（不図示）が設けられている）。この手段の例としては、毒性の無い材料からなる例えば接着テープ、接着剤、等の接着手段が挙げられる。
【００６０】
その他の部分については、アリ用毒餌剤容器１０と同様であるので、同一部分には同一符号を付して説明を省略する。
【００６１】
尚、図１から図４に示されるように、食餌体２０を、誘引剤２２を含浸若しくは保持した長方形の芯体２１を侵入口１９から挿入して容器本体１１にセットするものとして説明したが、図５に示されるような芯体２５を有する形態としてもよい。即ち、芯体２５の形状を、周壁部１４の傾斜壁１４ｃの外形と略同一形状に形成した孔明き基部２５ａから複数本の引出部２５ｂを放射状に連続して設けた形状とし、これに誘引剤２２を含浸若しくは保持させたものを食餌体２０として用いてもよい。引出部２５ｂの数および位置は、侵入口１９に対応して設定されている。この芯体２５を有する食餌体の容器本体１１へのセットは、蓋体１６を容器本体１１から取り外した後、孔明き基部２５ａを周壁部１４に嵌め込むことによって行なうことができ、これによって引出部２５ｂの位置決めと容器本体１１へのセットを同時且つ容易に行なうことができる。尚、この例の場合、芯体２５の形状が、アリ３が芯体２５を容器本体１１から持ち運べないようにする手段としても作用する。
【００６２】
次に、図６を参照して、アリ用毒餌剤容器１０の他の変形例を説明する。図６は本発明に係るアリ用毒餌剤容器の他の変形例（アリ用毒餌剤容器４０）の縦断面図である。図６に示されるように、アリ用毒餌剤容器４０の容器本体１１ａは、形状、構造、等は図１で示した容器本体１１と同様であり、容器本体１１ａ自体が食餌体で形成されている点のみが図１で示した容器本体１１と異なる。このアリ用毒餌剤容器４０によれば、容器本体１１ａそのものが食餌体であるので、アリ３がアリ用毒餌剤容器４０を見つけ易い利点がある。尚、収納部１８内には毒餌剤２が収納されており、侵入口１９から容器本体１１ａ内に侵入したアリ３が毒餌剤２を食べられるようになっている。尚、このような容器本体１１ａの侵入口１９付近の部分をスライド自在に出し入れできる例えば板状、棒状、等の延長部とした形態に変形し、当該延長部を引き出して食餌体の一部として利用するようにしてもよい。
【００６３】
その他の部分については、アリ用毒餌剤容器１０と同様であるので、同一部分には同一符号を付して説明を省略する。
【００６４】
次に、第１実施形態の作用を説明する。
図１および図２において、容器本体１１に溶着されているイージーピール部材１７を上面板１４ａから剥がして毒餌剤２を容器本体１１内で露出させる。食餌体２０の他端２０ｂを侵入口１９から容器本体１１内に挿入し、該食餌体２０の一端２０ａを容器本体１１から突出させた状態にセットしてアリ用毒餌剤容器１０をアリ３が活動する場所に設置する。
【００６５】
アリ用毒餌剤容器１０の外部にいるアリ３は、食餌体２０に含浸若しくは保持されている誘引剤２２に誘引されて集まり、食餌体２０を食べ始める。食餌体２０を食べながら該食餌体２０に沿って歩いていくと、侵入口１９を通って自然に容器本体１１内に導かれる。容器本体１１内に侵入したアリ３は、毒餌剤２を見つけて食べ、一部を巣に持ち帰る。
【００６６】
毒餌剤２を見つけたアリ３が、該毒餌剤２を巣に持ち帰り、餌の場所の情報を仲間のアリ３に伝える時間を確保するためには、毒餌剤２が遅効性毒餌剤であることが好ましい。その理由は、毒餌剤２が速効性毒餌剤であると、毒餌剤２を見つけたアリ３が毒餌剤２を巣に持ち帰る途中で中毒症状をおこしたり、死亡したりして、餌の情報を仲間のアリ３に伝えられないばかりでなく、逆に警報フェロモンを分泌して仲間のアリ３に危険を知らせるためである。
【００６７】
上述した作用は、図３および図４に示す変形例、および図５ならびに図６に示す他の変形例でも同様であり、食餌体によってアリを誘引することができるので、アリがアリ用毒餌剤容器内に収納されている毒餌剤を食べる確率を高めることができる。
【００６８】
図７および図８に示されるように、アリ３は、壁２６の隅角部２６ａ、ブロック２８の角部２８ａ、等といった隅に沿って行列を作って行進する性質がある。そこで、そのようなアリ３の行列を遮って乱す位置にアリ用毒餌剤容器を設置すれば、アリ３の毒餌剤２への到達を早めることができる。図７および図８においてアリ用毒餌剤容器１０（または３０）は、それらの食餌体２０の一端２０ａがアリ３の行進経路に突出するように配置されている。これらの例のように、容器本体１１をアリ３の行列を遮って乱す位置に配置し難い場合でも、容器本体１１をアリ３の行列付近に設置して食餌体２０をアリ３の行列を遮るように配置することができる。これにより、食餌体２０によってアリ３を誘引し、効率良く容器本体１１内に誘導して効果的にアリ３を防除することができる。
【００６９】
尚、上述した、食餌体２０を出し入れ自在に容器本体１１に設けた変形例（複数ある侵入口１９の内、代表として一つの侵入口１９に対して食餌体２０が出し入れ自在に設けられている例）を図９に示す。食餌体２０は、図９に示されるように、蓋部４５ａおよび抜け止め部４５ｂを有する芯体４５を備え、容器本体１１に差し込まれた際に蓋部４５ａにより侵入口１９周囲の壁面に係止されて容器本体１１の奥に入り込まない構造ならびに容器本体１１から引き出された際に抜け止め部４５ｂにより侵入口１９周囲の壁面に係止されて容器本体１１から分離されない構造となっている。尚、蓋部４５ａは侵入口１９を塞ぐ蓋形状であってもなくともよい。また、この例の場合、抜け止め部４５ｂは、アリ３が芯体４５を容器本体１１から持ち運べないようにする手段としても作用する。
【００７０】
以上、説明したように、本実施形態および変形例によれば、毒餌剤２が内部に収納された容器本体１１に、そのアリ用の侵入口１９付近から毒餌剤２へ向けて連なる部分を有する食餌体（換言すれば、無毒餌体）２０が設けられており、侵入口１９を介して外部から容器本体１１内部に侵入したアリ３が食餌体２０によって毒餌剤２へ案内されるように構成されているので、アリ３が毒餌剤２を食べる確率を向上させることができ、これによりアリ３の防除効果を向上させることができる。
【００７１】
また、本実施形態および変形例によれば、毒餌剤２を内部に収納した容器本体１１に取り付け可能な、アリ３を容器本体１１の外部から毒餌剤２へ誘導するための、食餌体（換言すれば、無毒餌体）２０が、容器本体１１に取り付けられる際に当該容器本体１１のアリ用の侵入口１９付近から毒餌剤２へ向けて連なるように配置され、この食餌体２０によって、侵入口１９を介して外部から容器本体１１内部に侵入したアリ３が毒餌剤２へ案内されるように構成されているので、アリ３が毒餌剤２を食べる確率を向上させることができる。また、これによりアリ３の防除効果を向上させることができる。また、アリ用毒餌剤容器１０、３０の使用者が、当該アリ用毒餌剤容器１０、３０の使用時、食餌体２０を容器本体１１に取り付けることができる。
【００７２】
また、本実施形態および変形例によれば、侵入口１９から離れた位置に毒餌剤２を収納する収納部１８が容器本体１１内に設けられているので、使用者や小動物に毒餌剤２が直接触れられることを防止できる。また、このように毒餌剤２が容器本体１１内の侵入口１９から離れた位置に配置されるにも拘わらず、食餌体２０によってアリ３を毒餌剤２に誘導することができるので、アリ３の防除効果に加えて安全性も高めることができる。
【００７３】
また、本実施形態および変形例によれば、食餌体２０が容器本体１１の外部から侵入口１９を通って容器本体１１の内部に連なるように配置されるので、容器本体１１の近傍にいるアリ３を食餌体２０で誘引（案内）して効率良く容器本体１１内に侵入させることができ、容器本体１１内へのアリ３の侵入確率を向上させることができる。また、これによって、アリ３が毒餌剤２を食べる確率を更に向上させることができ、アリ３の防除効果の更なる向上が実現できる。
【００７４】
また、本実施形態および変形例によれば、食餌体２０がアリ用誘引剤２２を含浸若しくは保持した芯体２１，２５であるので、当該誘引剤２２によりアリ３を誘引すると共に当該芯体２１，２５を案内通路として利用して、アリ３を毒餌剤２へ確実に案内することができる。
【００７５】
また、本実施形態および変形例によれば、アリ用誘引剤２２としてショ糖および当該ショ糖の脱落防止剤としてグリセリン、トリメチルグリシン、または液糖を芯体２１，２５に含有しており、より詳細には、ショ糖、およびグリセリン、トリメチルグリシン、または液糖を配合した水溶液を芯体２１，２５に含浸し乾燥させているので、単にショ糖水溶液を芯体２１，２５に含浸し乾燥させた場合と比較して、乾燥後のアリ用誘引剤２２の結晶化が抑制され、これによりアリ用誘引剤２２が芯体２１，２５に確実に保持されて芯体２１，２５から脱落することが防止される。従って、長期間にわたってアリ誘引効果を維持することができる。
【００７６】
また、本実施形態および変形例によれば、毒餌剤２に食餌体２０が接触するように配置されるので、食餌体２０によって誘導されたアリ３を高い確率で毒餌剤２に到達させることができる。また、これによって、アリ３が毒餌剤２を食べる確率を更に高めて、アリ３を効果的に防除することができる。
【００７７】
また、本変形例によれば、容器本体１１ａ自体が食餌体２０により形成されているので、アリ３がアリ用毒餌剤容器４０を発見し易く、それによりアリ３を効率良く容器本体１１ａ内に誘引することができる。
【００７８】
また、本実施形態および変形例によれば、アリ用誘引剤２２および当該アリ用誘引剤２２が食餌体２０から脱落することを防止するための脱落防止剤を配合した食餌体用アリ誘引剤組成物が食餌体２０に含浸若しくは保持されるので、アリ用誘引剤２２が食餌体２０に確実に保持されて食餌体２０から脱落することが防止され、長期間にわたってアリ誘引効果が維持される。
【００７９】
（第２実施形態）
次に、本発明に係るアリ用毒餌剤容器の第２実施形態を図１０〜図１２を参照しながら説明する。図１０は食餌体を縦壁に沿わせて配置した一例を示すアリ用毒餌剤容器の第２実施形態（アリ用毒餌剤容器５０）の斜視図、図１１は図１０において実線で描かれた食餌体の横断面図、そして図１２は図１０において実線で描かれた食餌体が縦壁に沿って配置された状態にあるアリ用毒餌剤容器の縦断面図である。
【００８０】
図１０および図１２に示されるように、アリ用毒餌剤容器５０では、食餌体４１の一端（即ち、先端部）４１ａを容器本体１１の外部に配置し、そして他端（即ち、基端部）４１ｂを侵入口１９を通して容器本体１１の内部に配置している。図１０および図１２では、食餌体４１の一端４１ａが容器本体１１から縦壁８４に沿って上方に延長している。尚、食餌体４１の他端４１ｂは、収容部１８に収納された毒餌剤２に接触させても、接触させなくてもよい。
【００８１】
図１１に示されるように、食餌体４１は、アリ用の誘引剤２２を含浸若しくは保持した芯体４４を備えている。当該芯体４４は、２本の針金４２の間に複数の繊維材４３を挟みながら当該針金４２をツイストし（即ち、捩り）、それにより繊維材４３が針金４２に固着（固定）されている所謂モールであり、この芯体４４に誘引剤２２が含浸若しくは保持されている。尚、芯体４４に繊維材４３を設けず、針金４２自体に誘引剤２２を付着（即ち、含浸若しくは保持）させてもよいことは言うまでもない。
【００８２】
この第２実施形態では誘引剤２２の一例としてショ糖を用いている。上述したようにショ糖を誘引剤２２として用いる場合は、ショ糖と、当該ショ糖の脱落防止剤としてグリセリン、トリメチルグリシン、または液糖と、を配合した水溶液を食餌体用アリ誘引剤組成物として芯体４４に含浸後、乾燥させて芯体４４に保持させる。この誘引剤２２と脱落防止剤との配合量は、水溶液中のショ糖の濃度を１％そしてグリセリンまたはトリメチルグリシンの濃度を０．２％とする。また、脱落防止剤として液糖を用いる場合、誘引剤２２と脱落防止剤との配合量は、水溶液中のショ糖の濃度を１％そして液糖の濃度を１％とする。
【００８３】
このようにすれば、単にショ糖水溶液を芯体４４に含浸した場合と比較して、乾燥後誘引剤２２が芯体４４に確実に保持されるので、結晶化した誘引剤２２が芯体４４から剥がれ落ちること（即ち、脱落すること）を防止することができる。従って、長期間にわたってアリ誘引効果を維持することができる。
【００８４】
尚、この第２実施形態における誘引剤２２としてショ糖以外の誘引剤（即ち、上述した誘引剤の他の具体例）を用いてもよいことは言うまでもない。但し、ショ糖水溶液のように乾燥すると結晶化する溶液を芯体４４に含浸する場合は、その溶液に前述のようにグリセリン、トリメチルグリシン、液糖、等の脱落防止剤を更に添加するようにし、その添加した溶液を芯体４４に含浸して乾燥後の誘引剤２２の結晶化を抑制することが望ましい。
【００８５】
食餌体４１は、外力が加えられると針金４２が変形するので、その外形形状を容易に変形可能であり、且つ外力が作用しない限り外形形状をそのままの状態で維持することができる。尚、芯体４４として好適な部材は、モールの他、芯として針金を挟んだ紙テープ、複数のヒンジ部が設けられた樹脂成型品、ボール紙等の腰（コシ）のある紙、等を挙げられるが、特にモールは加えられる外力によって変形自在で且つ変形後の形状を維持する性能が高いため、この第２実施形態では用いた。
【００８６】
上述したように誘引剤２２としてショ糖および当該ショ糖の脱落防止剤としてグリセリン、トリメチルグリシン、または液糖を芯体４４が含有しているので、食餌体４１に外力を加えて形状を任意の形状に変形させても、誘引剤２２が芯体４４から脱落することなく芯体４４に確実に保持される。尚、食餌体４１の他端（即ち、基端部）４１ｂは容器本体１１に固定される（即ち、アリ３が芯体４４を容器本体１１から持ち運べないような手段（不図示）が設けられている）。この手段の例としては、毒性の無い材料からなる例えば接着テープ、接着剤、等の接着手段が挙げられる。
【００８７】
図１０および図１２においては、侵入口１９から導出された食餌体４１が略Ｕ字形に曲げられ、その一端４１ａが容器本体１１の上方に位置するように成形されている。そして、食餌体４１の一端４１ａは、縦壁８４に沿って配置され、縦壁８４上を行進するアリ３の行進経路に突出させられた状態となっている。
【００８８】
その他の部分については、アリ用毒餌剤容器１０と同様であるので、同一部分には同一符号を付して説明を省略する。
【００８９】
次に、第２実施形態の作用を説明する。
第１実施形態であるアリ用毒餌剤容器１０と同様に、容器本体１１に溶着されているイージーピール部材１７を剥がして毒餌剤２を容器本体１１内で露出させる。食餌体４１を手指等で略Ｕ字形に曲げた後、該食餌体４１の他端４１ｂを侵入口１９から容器本体１１内に挿入すると共に、該食餌体４１の一端４１ａを縦壁８４に沿わせて該縦壁８４上を行進するアリ３の行進経路に突出するように配置しながら（換言すれば、アリ３の行列を遮るように配置しながら）アリ用毒餌剤容器５０を設置する。尚、食餌体４１を曲げずに容器本体１１内に挿入してから、当該食餌体４１を配置場所に応じて曲げてもよいことは言うまでもない。
【００９０】
縦壁８４上を行進してきたアリ３は、食餌体４１に含浸若しくは保持されている誘引剤２２に誘引されて集まり、食餌体４１を食べ始める。食餌体４１を食べながら該食餌体４１に沿って歩いていくと、侵入口１９を通って自然に容器本体１１内に導かれる。容器本体１１内に侵入したアリ３は、毒餌剤２を見つけて食べ、一部を巣に持ち帰る。
【００９１】
ここで、食餌体４１は、外力を作用させることにより任意の形状に容易に変形させることができ且つ変形後の形状を維持することができる部材なので、縦壁８４等のような場所でも、アリ３の活動状況に合わせて、アリ３をより容器本体１１内に誘導し易い形状に変形させて配置することができる。従って、アリ３を効率よく容器本体１１内に誘導して効果的にアリ３を防除することができる。
【００９２】
また、食餌体４１は、図１０に点線で示されるように、テープ状または紐状の芯体２１にアリ用の誘引剤２２を含浸若しくは保持させた、柔軟な（腰（コシ）が弱い、または腰（コシ）のない）食餌体２０を設置するような場所にも容易に設置できることは言うまでもない。また、長い食餌体４１を用いれば、一度に複数の巣を狙うこともできる。この場合、食餌体４１としては、単一の長いものだけでなく、伸縮自在なもの、連結可能なもの、等を適宜用いればよい。
【００９３】
本実施形態によれば、上述した第１実施形態と略同様な効果を奏することができ、その上、アリ用誘引剤２２を含浸若しくは保持した芯体４４が、外力によって変形自在で且つ変形後の形状を維持することもできる材料から構成されているので、アリ３の活動状況に応じて、例えば縦壁面８４に沿ってアリ３が行進していれば、アリ３の行進経路に芯体４４（換言すれば、食餌体４１）の先端部４１ａが突出するように該芯体４４の形状を変形させてからアリ用毒餌剤容器５０を配置することができる。これによって、アリ３の様々な活動場所に応じてアリ用毒餌剤容器５０を配置してアリ３を食餌体４１によって誘引することが可能となり、アリ３を高い確率でアリ用毒餌剤容器５０内に誘導し、毒餌剤２に到達させることができる。
【００９４】
また、本実施形態によれば、針金４２に繊維材４３を固着したもので芯体４４が形成されており、当該針金４２として任意の形状に容易に変形することができるものを用いることにより、芯体４４（換言すれば、食餌体４１）を任意の形状に容易に変形し且つ変形後の形状をそのままの状態で維持することができる。従って、アリ３の活動状況に応じてアリ３を誘引するのに最適な形状に芯体４４（換言すれば、食餌体４１）を変形させて、アリ用毒餌剤容器５０を任意の場所に配置することができる。例えば、アリ３の活動場所がアリ用毒餌剤容器５０を設置可能な場所の上方であっても、その上方へ先端部４１ａが延設されるように芯体４４（換言すれば、食餌体４１）を変形させることによって、アリ３を高い確率でアリ用毒餌剤容器５０内に誘導することができる。
【００９５】
（第３実施形態）
次に、本発明に係るアリ用毒餌剤容器の第３実施形態を図１３および図１４を参照しながら説明する。図１３は本発明に係るアリ用毒餌剤容器の第３実施形態（アリ用毒餌剤容器６０）の横断面図、そして図１４は食餌体が段差に沿って配置された状態にあるアリ用毒餌剤容器の縦断面図である。
【００９６】
図１３および図１４に示されるように、アリ用毒餌剤容器６０では、食餌体６１の形態のみが第１実施形態のアリ用毒餌剤容器１０と異なり、その他は同様であるので、同一部分には同一符号を付して説明を省略する。
【００９７】
図１３に示されるように、アリ用毒餌剤容器６０では、食餌体６１の一端（即ち、先端部）６１ａを容器本体１１の外部に配置し、そして他端（即ち、基端部）６１ｂを侵入口１９を通して容器本体１１の内部に配置している。尚、食餌体６１の他端６１ｂは、収容部１８に収納された毒餌剤２に接触させても、接触させなくてもよいが、接触させた方が上述したように好ましい。
【００９８】
尚、食餌体６１の他端（即ち、基端部）６１ｂは容器本体１１に固定される（即ち、アリ３が芯体６２を容器本体１１から持ち運べないような手段（不図示）が設けられている）。この手段の例としては、毒性の無い材料からなる例えば接着テープ、接着剤、等の接着手段が挙げられる。
【００９９】
食餌体６１について詳述する。食餌体６１の芯体６２は、紐状または帯状に形成された熱可塑性エラストマーから構成されている。尚、紐状の熱可塑性エラストマーには、複数の部材が数珠状に連結されたような形状（例えば、後述する図１５および図１６に示される食餌体７１の芯体７２のような形状）を有するように熱可塑性エラストマーで一体成形されたものも含まれる。また、熱可塑性エラストマーで形成された複数のビーズ状部材を紐等で数珠状に連結したもの（例えば、後述する図１５および図１６に示される食餌体７１の芯体７２のような形状のもの）であってもよい。
【０１００】
熱可塑性エラストマーの表面には、アリ用の誘引剤２２が含浸若しくは保持されている。誘引剤２２を芯体６２（熱可塑性エラストマーの表面）に付着させて保持する場合には、表面に粘着性を有する熱可塑性エラストマーを使用するのが望ましい。これによって、誘引剤２２を芯体６２に容易に付着させることができ、また、芯体６２から誘引剤２２の脱落も防止されて、長期間にわたってアリ誘引効果を維持することができる。また、表面に粘着性を有する芯体６２である場合、食餌体６１の他端６１ｂを、その粘着力によって容器本体１１に固定して、アリ３が芯体６２を容器本体１１から持ち運べないような手段とすることもできる。
【０１０１】
尚、熱可塑性エラストマーとしては、例えば、オレフィン系（ＴＰＯ）熱可塑性エラストマー、スチレン系（ＴＰＳ）熱可塑性エラストマー、エステル系（ＴＰＥＥ）熱可塑性エラストマー、ウレタン系（ＴＰＵ）熱可塑性エラストマー、アミド系（ＴＰＥＡ）熱可塑性エラストマー、塩化ビニル系（ＴＰＶＣ）熱可塑性エラストマー、等が挙げられるが、誘引剤２２を芯体６２の表面に付着させて保持するには特にスチレン系（ＴＰＳ）熱可塑性エラストマー等（即ち、表面に粘着性があり、腰（コシ）が弱い、または腰（コシ）が無いもの）が好ましい。
【０１０２】
また、熱可塑性エラストマーの材料に誘引剤２２を混合した後、芯体６２を紐状または帯状に成形することによって誘引剤２２を芯体６２に保持させるようにしてもよい。芯体６２である熱可塑性エラストマーは、極めて剛性が低く、即ち腰（コシ）が弱い、または腰（コシ）が無いので、芯体６２自体では、その外形形状を維持することができず、配置された場所の形状に沿って自然に変形する。
【０１０３】
この第３実施形態の誘引剤２２の一例としては、食餌体２０、４１と同様に、ショ糖が挙げられる。上述したようにショ糖を誘引剤２２として用いる場合は、ショ糖と、当該ショ糖の脱落防止剤としてグリセリン、トリメチルグリシン、または液糖と、を配合した水溶液を食餌体用アリ誘引剤組成物として芯体６２に含浸、または付着させた後、乾燥させて芯体６２に保持させる。この誘引剤２２と脱落防止剤との配合量は、水溶液中のショ糖の濃度を１％そしてグリセリンまたはトリメチルグリシンの濃度を０．２％とする。また、脱落防止剤として液糖を用いる場合、誘引剤２２と脱落防止剤との配合量は、水溶液中のショ糖の濃度を１％そして液糖の濃度を１％とする。
【０１０４】
このようにすれば、単にショ糖水溶液を芯体６２に含浸または付着させた場合と比較して、乾燥後誘引剤２２が芯体６２に確実に保持されるので、結晶化した誘引剤２２が芯体６２から剥がれ落ちること（即ち、脱落すること）を防止することができる。従って、長期間にわたってアリ誘引効果を維持することができる。
【０１０５】
芯体６２として粘着力の強い熱可塑性エラストマーを用いた場合には、必ずしもショ糖に脱落防止剤を混合させる必要はなく、熱可塑性エラストマーの粘着力のみによって誘引剤２２を芯体６２に保持させるようにしてもよい。この場合、誘引剤２２して、固形物、例えばショ糖をそのまま用いることが可能となる。
【０１０６】
次に、第３実施形態の作用を説明する。図１４に示されるように、第１実施形態であるアリ用毒餌剤容器１０と同様に、容器本体１１に溶着されているイージーピール部材１７を剥がして毒餌剤２を容器本体１１内で露出させる。食餌体６１の他端６１ｂを侵入口１９から容器本体１１内に挿入し、食餌体６１の一端６１ａをアリ３の活動場所（図１４に示す例においては、段差のある場所６３）に配置しながらアリ用毒餌剤容器６０を設置する。食餌体６１は、段差６３の形状に沿って自然に変形し、その表面に密着した状態で配置される。
【０１０７】
段差６３の近傍で活動しているアリ３は、食餌体６１に含浸若しくは保持されている誘引剤２２に誘引されて集まり、食餌体６１を食べ始める。食餌体６１を食べながら該食餌体６１に沿って歩いていくと、侵入口１９を通って自然に容器本体１１内に導かれる。容器本体１１内に侵入したアリ３は、毒餌剤２を見つけて食べ、一部を巣に持ち帰る。
【０１０８】
ここで、食餌体６１は、段差６３の形状に沿って変形し、段差６３の表面に密着して配置されているので、段差６３等のように凹凸のある場所でも、アリ３を効率よく容器本体１１内に誘導して効果的にアリ３を防除することができる。尚、アリ用毒餌剤容器６０の設置場所は、段差６３に限定されるものではなく、例えば砂利や小石が多い場所、岩場、枯草が多く落ちている場所、凹凸のある地面、等であっても、食餌体６１が配置された場所の形状（起伏）に沿って食餌体６１自体が自然に変形して、その表面に密着した状態で配置される。
【０１０９】
本実施形態によれば、上述した第１実施形態と略同様な効果を奏することができ、その上、芯体６２が、紐状または帯状のエラストマーであるので、剛性が弱く、換言すれば腰（コシ）が弱い、或いは腰（コシ）が無いので、容易に変形させることができる。従って、アリ用毒餌剤容器６０の設置場所が、砂利や小石が多い場所、岩場、枯草が多く落ちている場所、段差のある場所、凹凸のある地面、等であっても、食餌体６１が配置された場所の形状（起伏）に沿って食餌体６１自体が自然に変形し、設置表面に密着させて配置することができる。これによって、地表を活動しているアリ３が食餌体６１に接触する頻度が高くなり、効率的にアリ３をアリ用毒餌剤容器６０に誘引することができる。
【０１１０】
（第４実施形態）
次に、本発明に係るアリ用毒餌剤容器の第４実施形態を図１５および図１６を参照しながら説明する。図１５は本発明に係るアリ用毒餌剤容器の第４実施形態（アリ用毒餌剤容器７０）の横断面図、そして図１６は食餌体が凹凸面に沿って配置された状態にあるアリ用毒餌剤容器の縦断面図である。
【０１１１】
図１５および図１６に示されるように、アリ用毒餌剤容器７０では、食餌体７１の形態のみが第１実施形態のアリ用毒餌剤容器１０と異なり、その他は同様であるので、同一部分には同一符号を付して説明を省略する。
【０１１２】
図１５に示されるように、アリ用毒餌剤容器７０では、食餌体７１の一端（即ち、先端部）７１ａを容器本体１１の外部に配置し、そして他端（即ち、基端部）７１ｂを侵入口１９を通して容器本体１１の内部に配置している。尚、食餌体７１の他端７１ｂは、収容部１８に収納された毒餌剤２に接触させても、接触させなくてもよいが、接触させた方が上述したように好ましい。
【０１１３】
尚、食餌体７１の他端（即ち、基端部）７１ｂは容器本体１１に固定される（即ち、アリ３が芯体７２を容器本体１１から持ち運べないような手段（不図示）が設けられている）。この手段の例としては、毒性の無い材料からなる例えば接着テープ、接着剤、等の接着手段が挙げられる。
【０１１４】
食餌体７１について詳述する。食餌体７１の芯体７２は、その構成部材の一例である多数の多孔質ビーズ７３に形成された孔（不図示）に紐７４を挿通させることによって数珠状（即ち、列状）に繋がれている。隣接する夫々の多孔質ビーズ７３の間には、所定の隙間が設けられている。従って、多数の多孔質ビーズ７３は、多孔質ビーズ７３間の紐７４が曲がることによって、互いに相対的に変位可能とされている。多孔質ビーズ７３の材料としては、例えば樹脂焼結体、シリカ発泡体、発泡樹脂、ビスコパール（多孔性セルロース）、特殊珪酸カルシウム、セラミック、等が例示される。
【０１１５】
多孔質ビーズ７３には、アリ用の誘引剤２２が含浸若しくは保持されている。誘引剤２２の一例としては、食餌体２０、４１、６１と同様に、ショ糖と、当該ショ糖の脱落防止剤としてグリセリン、トリメチルグリシン、または液糖と、を配合した水溶液を食餌体用アリ誘引剤組成物として芯体７２に含浸後、乾燥させて芯体７２に保持させる。この誘引剤２２と脱落防止剤との配合量は、前述した食餌体２０、４１、６１と同様であり、乾燥後誘引剤２２が芯体７２に確実に保持されるので、結晶化した誘引剤２２が芯体７２から剥がれ落ちること（即ち、脱落すること）を防止することができる。従って、長期間にわたってアリ誘引効果を維持することができる。
【０１１６】
尚、誘引剤２２は、多孔質ビーズ７３だけではなく、紐７４にも含浸させるようにしてもよいことは無論である。この場合、多数個の多孔質ビーズ７３を紐７４で数珠状に繋げた後、全体を食餌体用アリ誘引剤組成物の水溶液中に浸積することにより、容易に食餌体７１の作成が可能となる。即ち、個々の多孔質ビーズ７３に誘引剤２２を保持させた後、多数個の多孔質ビーズ７３を紐７４で数珠状に繋げる場合には、誘引剤２２によって多孔質ビーズ７３の孔（不図示）が塞がれている可能性があり、作業が困難となる。
【０１１７】
また、芯体７２は、多孔質の部材に限定されることはなく、多数の金属部材、合成樹脂部材、等に形成された孔に紐を挿通させることによって数珠状（即ち、列状）に繋がれたものであってもよい。芯体７２が、多数の金属部材、合成樹脂部材、等を数珠状（即ち、列状）に繋いで形成された場合には、誘引剤２２を金属部材、合成樹脂部材、等に塗布することにより、芯体７２に保持させる。また、芯体７２は、上述した第３実施形態で採用可能な熱可塑性エラストマーで形成された複数のビーズ状部材を紐等で数珠状に連結したものであってもよい。
【０１１８】
次に、第４実施形態の作用を説明する。
図１６に示されるように、第１実施形態であるアリ用毒餌剤容器１０と同様に、容器本体１１に溶着されているイージーピール部材１７を剥がして毒餌剤２を容器本体１１内で露出させる。食餌体７１の他端７１ｂを侵入口１９から容器本体１１内に挿入し、食餌体７１の一端７１ａをアリ３の活動場所（図１６に示す例においては、砂利７５や凹凸のある地面７６）に配置しながらアリ用毒餌剤容器７０を設置する。食餌体７１は、多孔質ビーズ７３間の紐７４が曲がることによって、砂利７５や地面７６の凹凸に沿って変形し、その表面に密着して配置される。
【０１１９】
活動しているアリ３は、食餌体７１に含浸若しくは保持されている誘引剤２２に誘引されて集まり、食餌体７１を食べ始める。食餌体７１を食べながら該食餌体７１に沿って歩いていくと、侵入口１９を通って自然に容器本体１１内に導かれる。容器本体１１内に侵入したアリ３は、毒餌剤２を見つけて食べ、一部を巣に持ち帰る。
【０１２０】
ここで、食餌体７１は、砂利７５や地面７６の凹凸の形状に沿って変形し、その表面に密着して配置されているので、凹凸のある場所でも、アリ３を効率よく容器本体１１内に誘導して効果的にアリ３を防除することができる。尚、アリ用毒餌剤容器７０の設置場所は、砂利７５や凹凸のある地面７６に限定されるものではなく、例えば岩場、枯草が多く落ちている場所、段差のある場所、等であっても、食餌体７１が配置された場所の形状（起伏）に沿って食餌体７１自体が自然に変形して、その表面に密着した状態で配置される。
【０１２１】
尚、食餌体７１の芯体は、多数個の多孔質ビーズ７３等の部材を紐７４で数珠状に繋げたものに限定されるものではなく、例えば多数個の金属部材、合成樹脂部材、或いは多孔質部材にヒンジ部を形成しておき、該ヒンジ部によって多数個の部材をキャタピラ状（即ち、列状）に連結したものであってもよい。
【０１２２】
本実施形態によれば、上述した第１実施形態と略同様な効果を奏することができ、その上、食餌体７１が、アリ用誘引剤２２を含浸若しくは保持させた多数個の部材７３であり、該部材７３は互いに相対的に変位可能な状態とされて列状に連結または繋がれているので、アリ用毒餌剤容器７０の設置場所の形状に合わせて容易に変形させることができる。従って、アリ用毒餌剤容器７０の設置場所が、砂利７５や小石が多い場所、岩場、枯草が多く落ちている場所、段差のある場所、凹凸のある地面７６、等であっても、食餌体７１が配置された場所の形状（起伏）に沿って食餌体７１自体が自然に変形し、設置表面に密着させて配置することができる。これによって、活動しているアリ３が食餌体７１に接触する頻度が高くなり、効率的にアリ３をアリ用毒餌剤容器７０に誘引することができる。
【０１２３】
（第５実施形態）
次に、本発明に係るアリ用毒餌剤容器の第５実施形態を図１７から図２０を参照しながら説明する。図１７は本発明に係るアリ用毒餌剤容器の第５実施形態（アリ用毒餌剤容器９０）の収納体の横断面図、図１８は本発明に係るアリ用毒餌剤容器の第５実施形態（アリ用毒餌剤容器９０）のカバーの横断面図、図１９は本発明に係るアリ用毒餌剤容器の第５実施形態（アリ用毒餌剤容器９０）の縦断面図、そして図２０はカバーの要部斜視図である。
【０１２４】
図１７から図１９に示されるように、アリ用毒餌剤容器９０では、容器本体１１の形態のみが第１実施形態のアリ用毒餌剤容器１０と異なり、その他は同様であるので、同一部分には同一符号を付して説明を省略する。
【０１２５】
図１７および図１８に示されるように、アリ用毒餌剤容器９０では、容器本体９３が収納体９１とカバー９２とに分割された構成となっている。図１７に示されるように、収納体９１は、合成樹脂で形成（成形）されており、底板１３、該底板１３に突設された周壁部１４、該周壁部１４により囲まれた毒餌剤２を収納するための収納部１８、および蓋体１６を有している。
【０１２６】
周壁部１４は、底板１３から垂直方向に立設され且つ周壁部１４の内周面を形成する立壁１４ｂと、立壁１４ｂの外側に設けられ緩やかに傾斜する傾斜壁１４ｃと、立壁１４ｂと傾斜壁１４ｃとを上方端部で連結する上面板１４ａと、底板１３の周縁端部に沿って立設された外壁１４ｄと、を含む。外壁１４ｄは、底板１３の３方の周縁端部に沿って立設されており、横断面略コの字形に形成されており、外壁１４ｄが設けられていないもう１方の周縁端部には、開口部９４が形成されている。外壁１４ｄの端部は、内側が削られて、カバー９２との嵌合のための肉薄部１４ｅが設けられている。
【０１２７】
また、図１８に示されるように、カバー９２は、収納体９１の開口部９４の反対側の部分と略同一形状に形成されており、底板９２ｃの３方の周縁端部に沿って外壁９２ａが立設されており、外壁９２ａが設けられていないもう一方の側面には、開口部９５が形成されている。カバー９２の外壁９２ａは、その一部が切り欠かれて容器本体９３内にアリ３を侵入させるための侵入口１９が、少なくとも１つ設けられている。尚、収納体９１、カバー９２は、外壁１４ｄ、９２ａに装着される蓋体１６が、夫々配置されている。また、外壁９２ａの端部は、外側が削られて収納体９１との嵌合のための肉薄部９２ｂが設けられている。カバー９２の肉薄部９２ｂの外径寸法は、収納体９１の肉薄部１４ｅの内径寸法と同一寸法となっており、肉薄部９２ｂと肉薄部１４ｅとを嵌合させて収納体９１にカバー９２を装着できるようになっている。即ち、カバー９２は、収納体９１の開口部９４を塞ぐようにして収納体９１に着脱可能となっている。
【０１２８】
図１９に示されるように、収納体９１とカバー９２とが嵌合して一体に組み立てられたアリ用毒餌剤容器９０では、食餌体７１の一端（即ち、先端部）７１ａを容器本体９３の外部に配置し、そして他端（即ち、基端部）７１ｂを侵入口１９を通して容器本体９３の内部に配置している。尚、食餌体７１の他端７１ｂは、収容部１８に収納された毒餌剤２に接触させても、接触させなくてもよいが、接触させた方が上述したように好ましい。
【０１２９】
尚、食餌体７１の他端（即ち、基端部）７１ｂは容器本体９３に固定される（即ち、アリ３が芯体７２を容器本体９３から持ち運べないような手段（不図示）が設けられている）。この手段の例としては、毒性の無い材料からなる例えば接着テープ、接着剤、等の接着手段が挙げられる。
【０１３０】
また、図２０に示されるように、カバー９２の侵入口１９の付近に係止孔９６を設け、食餌体７１を係止孔９６に挿通および係止させて配置するようにしてもよい。この場合には、該係止が食餌体７１を容器本体９３に固定する手段となる。係止孔９６は、食餌体７１を容易に挿通でき、かつ確実に係止できるように、入口側部分９６ａが狭く、係止部９６ｂが比較的広い形状とするのが好ましい。このような形態で容器本体９３に取り付けられた食餌体７１は、外部で活動するアリ３をアリ用毒餌剤容器９３内に誘引することができ、”侵入口付近から毒餌剤へ向けて連なる部分を有する食餌体”の条件を満たしている。尚、本形態の係止孔９６および食餌体７１の取り付け形態は、カバー９２に設けたものに限定されることはなく、前述した全ての実施形態や変形例における容器本体にも適用可能である。また、係止孔９６に係止される食餌体も食餌体７１に限定されず、係止孔９６に係止可能な形態のもの全てに適用できることは言うまでもない。
【０１３１】
また、カバー９２は、収納体９１に容易に着脱可能となっているので、アリ３の活動状況に合わせて用意された任意形状のカバーと組み合わせることも可能となる。図２１を参照して、アリ用毒餌剤容器９０の変形例を説明する。図２１は本発明に係るアリ用毒餌剤容器の変形例（アリ用毒餌剤容器１００）の横断面図である。図２１に示されるように、アリ用毒餌剤容器１００は、カバー１０２の形態がアリ用毒餌剤容器９０と異なる。具体的に、侵入口１９は、カバー１０２の外壁１０２ｂ（底板、蓋体も含む）がノズル状に突出して設けられた突起部１０２ａの先端に設けられている。尚、このノズル状に突出して設けられた突起部１０２ａは、回動自在なものでも、出し入れ自在なものでも、収縮自在なもの（ジャバラ）でもよい。
【０１３２】
その他の部分については、アリ用毒餌剤容器９０と同様であるので、同一部分には同一符号を付して説明を省略する。
【０１３３】
次に、第５実施形態および変形例の作用を説明する。
図１９および図２１に示されるように、第１実施形態であるアリ用毒餌剤容器１０と同様に、収納体９１に溶着されているイージーピール部材１７を剥がして毒餌剤２を収納体９１内で露出させる。収納体９１の開口部９４を塞ぐようにしてカバー９２またはカバー１０２を収納体９１に装着して容器本体９３、１０１を組み立てる。食餌体７１の他端７１ｂを侵入口１９から容器本体９３、１０１内に挿入し、食餌体７１の一端７１ａをアリ３の活動場所に配置しながらアリ用毒餌剤容器９０，１００を設置する。
【０１３４】
活動しているアリ３は、食餌体７１に含浸若しくは保持されている誘引剤２２に誘引されて集まり、食餌体７１を食べ始める。食餌体７１を食べながら該食餌体７１に沿って歩いていくと、侵入口１９を通って自然に容器本体９３、１０１内に導かれる。容器本体９３、１０１内に侵入したアリ３は、毒餌剤２を見つけて食べ、一部を巣に持ち帰る。
【０１３５】
ここで、カバー９２，１０２は、収納体９１に容易に着脱可能であるので、アリ用毒餌剤容器９０，１００を設置する場所に合わせて、効果的にアリ３を防除できる形状のカバー９２，１０２を選択して用いることができる。例えば、図２１に示されるように、アリ３の活動場所が密着して植えられた樹木１０３の奥等のように、手が届き難く、柔軟な食餌体７１を上手く設置できないような場所である場合には、侵入口１９が突起部１０２ａの先端に設けられたカバー１０２を用いることによって、柔軟な食餌体７１を突起部１０２ａで保持しながら食餌体７１の一端７１ａをアリ３の活動する任意の場所に容易に設置することができ、より効果的にアリ３を誘引して防除できる。
【０１３６】
本実施形態および変形例によれば、詳述した第１実施形態と略同様な効果を奏することができ、その上、容器本体９３、１０１が、少なくとも一つの開口部９４を有し且つ、内部に毒餌剤２を配置する収納部１８が設けられた収納体９１と、開口部９４を塞ぐように収納体９１に着脱可能な、アリ用の侵入口１９を有するカバー９２，１０２と、から構成されているので、アリ３の駆除効果を増大させるために容器本体９３、１０１の外径寸法を大型にしても、従来の製造ラインを大幅に変更することなく、アリ用毒餌剤容器９０，１００を製造することができ、製造費用を低減することができる。また、形状の異なる、収納体９１とは別体の、カバー９２，１０２を複数種予め準備しておくことにより、カバー９２，１０２を交換して収納体９１に装着することができ、アリ用毒餌剤容器９０，１００の形状を、設置する場所に最適な形状に変更することができる。また、これによって、アリ３の防除効果を向上させることができる。
【０１３７】
（実施例）
本発明のアリ用毒餌剤容器の効果を確認するために行なった実施例１、実施例２、実施例３および該実施例と比較するために行なった比較例１、比較例２、比較例３について説明する。実施例１、実施例２、実施例３、比較例１、比較例２、および比較例３において使用した容器本体および毒餌剤は同一のものとし、図１に示される容器本体１１、および毒餌剤２としてリチウムスルフォネートを含有したものを使用した。効果の判定は、アリ用毒餌剤容器を設置後、容器本体内に侵入したアリの数と侵入するまでの時間、および毒餌剤の喫食状況を観察して判定した。
【０１３８】
実施例１および実施例２で使用した食餌体２０は、濾紙にショ糖水溶液を含浸させた後、乾燥させたものを用い、図２２（Ａ）に示されるように、容器本体１１の周囲に設けられた９ヶ所の侵入口１９から食餌体２０の一端２０ａを容器本体１１から導出させて配置した。尚、食餌体２０は、周壁部１４の傾斜壁１４ｃまでの配置とし、毒餌剤２には接触していない状態で配置した。
【０１３９】
実施例１は、アミメアリを対象アリとして選択し、図８に示されるように、ブロック２８の角部２８ａをアリ３が行進しており、その行列を遮るように設置し難いブロック２８の上にアリ用毒餌剤容器１０を設置した。
【０１４０】
実施例２は、オオズアリを対象アリとして選択し、アリ３の活動が活発なブロック２８の上に設置した。
【０１４１】
実施例３は、食餌体２０として実施例１および実施例２と同様に、濾紙にショ糖水溶液を含浸させた後、乾燥させたものを用いた。図２２（Ｂ）に示されるように、食餌体２０を１ヶ所の侵入口１９から挿入し、他端２０ｂを毒餌剤２に接触させて配置した（図３および図４参照）。実施例３は、トビイロシワアリを対象アリとして選択し、アリ用毒餌剤容器３０をアリ３の活動がやや疎らな砂地に設置した。
【０１４２】
比較例１、比較例２および比較例３は、食餌体２０を容器本体１１にセットせず、容器本体１１内に毒餌剤２を収納したものを、夫々の場所に設置した。比較例１は、対象アリおよび設置場所を実施例１と同一とし、結果を実施例１と比較できるようにした。比較例２は、対象アリおよび設置場所を実施例２と同一とし、結果を実施例２と比較できるようにした。比較例３は、対象アリおよび設置場所を実施例３と同一とし、結果を実施例３と比較できるようにした。その結果が図２３に示されている。
【０１４３】
図２３の表に示されるように、実施例１と比較例１とを比較すると、比較例１ではアリ用毒餌剤容器の設置後、２０分経っても容器本体内へのアリの侵入が見られなかったのに対して、実施例１ではアリ用毒餌剤容器の設置後、１０秒以内に食餌体に集まり、更に５分後には毒餌剤を食べ始めた。
【０１４４】
また、実施例２と比較例２とを比較すると、比較例２ではアリ用毒餌剤容器の設置後、３分で毒餌剤を食べ始めたのに対して、実施例２ではアリ用毒餌剤容器の設置後、１０秒以内に食餌体に集まり、１分後には毒餌剤を食べ始めており、毒餌剤を食べ始めるまでの時間が大幅に短縮している。
【０１４５】
更に、実施例３と比較例３とを比較すると、比較例３ではアリ用毒餌剤容器の設置２分後に一匹のアリが容器本体内に侵入するが、毒餌剤を見つけられずに容器本体から出てしまい、８分経過後に３匹のアリが毒餌剤を食べ始めたのに対して、実施例３ではアリ用毒餌剤容器の設置後、１分以内に食餌体を食べ始め、３分後に容器本体内に侵入し、８分後には９匹のアリが毒餌剤を食べ始めた。
【０１４６】
上述したように、アリの種類に関係なく、従来のアリ用毒餌剤容器を用いた比較例と比べて、実施例１、実施例２および実施例３とも、アリ用毒餌剤容器設置後、直ちに食餌体に集まって食べ始め、比較例に比べて極めて短時間で容器本体内に侵入して毒餌剤を食べることが観察された。従って、アリは食餌体に誘引され、効果的に毒餌剤に誘導（案内）されており、本発明のアリ用毒餌剤容器の有効性が確認された。
【０１４７】
尚、本発明は、前述した実施形態や変形例に限定されるものではなく、適宜、変形、改良、組み合わせ、等が可能である。その他、前述した実施形態や変形例における各構成要素の材質、形状、寸法、数値、形態、数、配置箇所、等は本発明を達成できるものであれば任意であり、限定されない。
【０１４８】
例えば、前述した実施形態や変形例では、食餌体は芯体に誘引剤を含浸若しくは保持させたものとして説明したが、動物繊維、昆虫の脚、麺、等のアリの好む餌自体を食餌体として用いてもよく、当該餌を想定されるアリの通路上に連なるように配置したもの（例えば、点在させたもの）であってもよい。尚、この場合、更に偽餌を併用してもよい。
【図面の簡単な説明】
【０１４９】
【図１】本発明に係るアリ用毒餌剤容器の第１実施形態の横断面図である。
【図２】蓋体等が設けられた図１のアリ用毒餌剤容器のII−II矢視縦断面図である。
【図３】図１のアリ用毒餌剤容器の変形例を示す横断面図である。
【図４】蓋体等が設けられた図３のアリ用毒餌剤容器のIV−IV矢視縦断面図である。
【図５】食餌体の形状の変形例を示す平面図である。
【図６】図１のアリ用毒餌剤容器の他の変形例を示す縦断面図である。
【図７】壁の隅部を行進するアリの行列に食餌体の一端を突出させながら設置した状態のアリ用毒餌剤容器の横断面図である。
【図８】ブロックの角部を行進するアリに対してアリ用毒餌剤容器をブロック上に設置した状態を示す斜視図である。
【図９】食餌体を出し入れ自在に容器本体に設けた変形例を示す横断面図である。
【図１０】食餌体を縦壁に沿わせて配置した一例を示すアリ用毒餌剤容器の第２実施形態の斜視図である。
【図１１】図１０において実線で描かれた食餌体の横断面図である。
【図１２】図１０において実線で描かれた食餌体が縦壁に沿って配置された状態にあるアリ用毒餌剤容器の縦断面図である。
【図１３】本発明に係るアリ用毒餌剤容器の第３実施形態の横断面図である。
【図１４】食餌体が段差に沿って配置された状態にある、蓋体等が設けられた図１３のアリ用毒餌剤容器のXIV−XIV矢視縦断面図である。
【図１５】本発明に係るアリ用毒餌剤容器の第４実施形態の横断面図である。
【図１６】食餌体が凹凸面に沿って配置された状態にある、蓋体等が設けられた図１５のアリ用毒餌剤容器のXVI−XVI矢視縦断面図である。
【図１７】本発明に係るアリ用毒餌剤容器の第５実施形態の収納体の横断面図である。
【図１８】図１７の収納体に取り付け可能なカバーの横断面図である。
【図１９】蓋体部分等が設けられた図１８のカバーが、蓋体部分等が設けられた図１７の収納体に装着されて、容器本体が組み立てられた状態を示す、図１７および図１８におけるXIX−XIX矢視縦断面図である。
【図２０】カバーの侵入口付近に設けられた食餌体係止用の係止孔の一例を示すカバーの要部拡大斜視図である。
【図２１】ノズル状突起部を有するカバーを収納体に装着して、狭く離れた場所に食餌体を配置した状態のアリ用毒餌剤容器の横断面図である。
【図２２】（Ａ）および（Ｂ）は実施例で使用したアリ用毒餌剤容器を示し、（Ａ）は実施例１および実施例２で使用したアリ用毒餌剤容器の平面図、そして（Ｂ）は実施例３で使用したアリ用毒餌剤容器の平面図である。
【図２３】実施例１、実施例２、実施例３、比較例１、比較例２、および比較例３それぞれの結果を示す表である。
【図２４】従来のアリ用毒餌剤容器の一例を示す横断面図である。
【符号の説明】
【０１５０】
２                                                毒餌剤
３                                                アリ
１０，３０，４０、５０、６０，７０、９０、１００    アリ用毒餌剤容器
１１，１１ａ、９３、１０１                          容器本体
１８（１８ａ，１８ｂ）                              収納部
１９                                                侵入口
２０、４１、６１，７１                              食餌体
２０ａ，４１ａ、６１ａ，７１ａ                      食餌体の一端
２０ｂ、４１ｂ，６１ｂ，７１ｂ                      食餌体の他端
２１，２５、４４、６２，７２                        芯体
２２                                                アリ用の誘引剤
４２                                                針金
４３                                                繊維材
７３                                                多孔質ビーズ（部材）
９１                                                収納体
９２、１０２                                        カバー
９４                                                開口部
【図１】
2005058207.tif 000003
【図２】
2005058207.tif 000004
【図３】
2005058207.tif 000005
【図４】
2005058207.tif 000006
【図５】
2005058207.tif 000007
【図６】
2005058207.tif 000008
【図７】
2005058207.tif 000009
【図８】
2005058207.tif 000010
【図９】
2005058207.tif 000011
【図１０】
2005058207.tif 000012
【図１１】
2005058207.tif 000013
【図１２】
2005058207.tif 000014
【図１３】
2005058207.tif 000015
【図１４】
2005058207.tif 000016
【図１５】
2005058207.tif 000017
【図１６】
2005058207.tif 000018
【図１７】
2005058207.tif 000019
【図１８】
2005058207.tif 000020
【図１９】
2005058207.tif 000021
【図２０】
2005058207.tif 000022
【図２１】
2005058207.tif 000023
【図２２】
2005058207.tif 000024
【図２３】
2005058207.tif 000025
【図２４】
2005058207.tif 000026